(57)【要約】【課題】重量が嵩む上、高い密閉性をもつドライスーツを形崩れしないよう吊り下げ、保管することが可能であり、しかも乾燥に最適な吊り下げ状態を確保できる新規な構造からなるドライスーツ等用ハンガー、およびそれを利用した新規なドライスーツ等の吊り下げ、乾燥方法を提供する。【解決手段】略ドライスーツ両肩の稜線に模して延伸した肩吊り杆３の中央に、吊下げ用フック５を組み合せてハンガー本体２を形成する一方、肩吊り杆の左右両側には、夫々ドライスーツの片一方の足首辺りを吊下可能とするよう、前後に屈曲した抱持枠部４，４，……を形成してなるドライスーツ等用ハンガー１である。【選択図】    図１
2004187884.tif 000002
【特許請求の範囲】
【請求項１】
左右両側を所定角度で上下何れか同一方向に傾斜、延伸させ、略ドライスーツ左右両肩の稜線に模した形状としてなる肩吊り杆を設け、その中央に吊下げ用フックを組み合せてハンガー本体を形成する一方、該ハンガー本体肩吊り杆の左右両側には、夫々ドライスーツの片一方の足首辺りを着脱自在に吊下、保持可能とするよう、前後何れか一方側、または前後双方に向けて屈曲させた抱持枠部を突出、形成してなるものとしたことを特徴とするドライスーツ等用ハンガー。
【請求項２】
左右両側を所定角度で上下何れか同一方向に傾斜、延伸させ、略ドライスーツ左右両肩の稜線に模した形状としてなる肩吊り杆を設け、その中央に吊下げ用フックを組み合せてハンガー本体を形成する一方、該ハンガー本体肩吊り杆の左右両側には、夫々ドライスーツの片一方の足首辺りを着脱自在に吊下、保持可能とするよう、前後何れか一方側、または前後双方に向けて屈曲させた抱持枠部を突出、形成すると共に、各抱持枠部の適所にドライスーツの片一方の足首辺りを横断状に通過可能とする開口部を形成してなるものとしたことを特徴とするドライスーツ等用ハンガー。
【請求項３】
左右両側を所定角度で上下何れか同一方向に傾斜、延伸させ、略ドライスーツ左右両肩の稜線に模した形状としてなる肩吊り杆を設け、その中央に上下反転姿勢の夫々に吊り下げ可能な上下一対の吊下げ用フックを組み合せてハンガー本体を形成する一方、該ハンガー本体肩吊り杆の左右両側には、夫々ドライスーツの片一方の足首辺りを着脱自在に吊下、保持可能とするよう、前後何れか一方側、または前後双方に向けて屈曲させた抱持枠部を突出、形成すると共に、各抱持枠部の適所にドライスーツの片一方の足首辺りを横断状に通過可能とする開口部を形成してなるものとしたことを特徴とするドライスーツ等用ハンガー。
【請求項４】
左右両側を所定角度で上下何れか同一方向に傾斜、延伸させ、略ドライスーツ左右両肩の稜線に模した形状としてなる肩吊り杆を設け、その中央に上下反転姿勢の夫々に吊り下げ可能な上下一対の吊下げ用フックを組み合せてハンガー本体を形成する一方、該ハンガー本体肩吊り杆の左右両側には、夫々ドライスーツの片一方の足首辺りを着脱自在に吊下、保持可能とするよう、前後双方に向けて屈曲させた抱持枠部を突出、形成すると共に、各抱持枠部の適所にドライスーツの片一方の足首辺りを横断状に通過可能とする開口部を形成してなるものとしたことを特徴とするドライスーツ等用ハンガー。
【請求項５】
上下一対の吊下げ用フックが、ハンガー本体中央に鉛直状に穿孔された連結孔に回転自在に貫通するよう装着されると共に、同上下の吊下げ用フック同士は、ハンガー本体中央の装着部分付近で上下に分離可能なボルト・ナット部を形成してなる、請求項３または４何れか一項記載のドライスーツ等用ハンガー。
【請求項６】
上下一対の吊下げ用フックは、左右肩吊り杆を撫で肩状姿勢としたときに上側に位置する方の吊下げ用フックが、ドライスーツの首回りシールの高さ寸法に対応可能となるよう、長尺状に寸法設定されたものとしてなる、請求項３または４何れか一項記載のドライスーツ等用ハンガー。
【請求項７】
吊り下げ保管または軽微な乾燥の際には、左右両側を所定角度で上下何れか同一方向に傾斜、延伸させ、略ドライスーツ左右両肩の稜線に模した形状としてなる肩吊り杆を設け、その中央に吊下げ用フックを組み合せてハンガー本体を形成する一方、該ハンガー本体肩吊り杆の左右両側には、夫々ドライスーツの片一方の足首辺りを着脱自在に吊下、保持可能とするよう、前後何れか一方側、または前後双方に向けて屈曲させた抱持枠部を突出、形成してなるドライスーツ等用ハンガーに対し、ドライスーツを着用させるように上半身を上、下半身を下として前後身頃間に左右肩吊り杆の抱持枠部を通じて上下に通気可能な空間部を形成するよう吊り下げ、洗浄によって濡れたドライスーツの場合には、ドライスーツ足首付近の片一方を適宜選択した一個の抱持枠部に掛着し、同他方の足首付近を外の適宜選択した一個の保持枠部に掛着してドライスーツ内外側の水滴を流下させ、乾燥を促進可能とするよう上半身側が下、下半身側が上となるよう吊り下げることを特徴とする請求項１ないし６何れか一項記載のドライスーツ等用ハンガーを利用したドライスーツ等の吊り下げ、乾燥方法。
【請求項８】
吊り下げ保管または軽微な乾燥の際には、左右両側を所定角度で上下何れか同一方向に傾斜、延伸させ、略ドライスーツ左右両肩の稜線に模した形状としてなる肩吊り杆を設け、その中央に上下反転姿勢の夫々に吊り下げ可能な上下一対の吊下げ用フックを組み合せてハンガー本体を形成する一方、該ハンガー本体肩吊り杆の左右両側には、夫々ドライスーツの片一方の足首辺りを着脱自在に吊下、保持可能とするよう、前後双方に向けて屈曲させた抱持枠部を突出、形成すると共に、各抱持枠部の適所にドライスーツの片一方の足首辺りを横断状に通過可能とする開口部を形成してなるドライスーツ等用ハンガーを、撫で肩状姿勢としてドライスーツの上半身が上、下半身が下となるよう着用状に装着し、各抱持枠部が、前後身頃間に上下に通気可能な空間部を形成するように吊り下げ、洗浄によって濡れたドライスーツを乾燥する場合には、左右肩吊り杆を怒り肩状姿勢とするよう上下反転させ、ブーツのソールを上方に向けたドライスーツ足首付近の片一方を適宜選択した一個の抱持枠部に開口部を通じて横断状に通過させ、同他方の足首付近を外の適宜選択した一個の保持枠部に開口部を通じて横断状に通過させて各爪先を斜め上方に向けた状態に夫々掛着し、ドライスーツ内外側の水滴を流下させ、乾燥を促進可能とするよう上半身側が下、下半身側が上となるよう吊り下げることを特徴とする請求項３ないし６何れか一項記載のドライスーツ等用ハンガーを利用したドライスーツ等の吊り下げ、乾燥方法。
【発明の詳細な説明】
【０００１】
【発明の目的】
この発明は、ドライスーツやウェットスーツ、レーシングスーツ等、通常市販のハンガーによる吊り下げが難しく、吊り下げたとしても変形や劣化を招く虞れがあるような特殊なスーツを、型崩れを起さずに保管や乾燥ができるようにする技術に関し、特に、重量が嵩む上に高い密閉性をもつドライスーツを、型崩れさせないで吊り下げ可能とし、しかも乾燥に最適な吊り下げ状態を確保できるようにする新規な構造からなるドライスーツ等用ハンガー、およびそれを利用した新規なドライスーツ等の吊り下げ、乾燥方法を提供しようとするものである。
【０００２】
【従来の技術】
スクーバーダイビングに用いられるドライスーツは、首回りおよび左右の手首をシールすることによってスーツ内への水の浸入を阻止して身体を濡らすことなく潜水することが可能であり、胸部に設けられた給気バルブを通じてスーツ内に空気を供給し、肩口付近に設けられた排気バルブから空気を放出することにより、スーツ内の空気量を調節して身体とスーツとの間に空気の層を形成し、完全防水の状態を確保できるので、ウェットスーツに比較して断熱保温力が高く、厳冬期のダイビングに欠くことができないものとなっており、国内では夏季を除く９月〜６月末頃まで使用することができるという特徴をもっている。
【０００３】
このようなドライスーツは、一般に伸縮性と防水性とを有するクロロプレンスポンジ製のジャージ生地にラジアル素材を浸透、コーティングすることによって撥水性、保温性、耐久性に富むものに製造されており、丁寧に使用すれば永年に渡って使用可能な品質を維持できるが、表面に付着した塩分や砂、海底に触れた膝やブーツのソール部分に付着した汚れ、内側面に付着した汗等を十分に洗浄しないと、生地素材の劣化や各可動部の故障、破損等を招く虞れがある上、十分な乾燥をせずに湿気を残したまま保管すると、黴の発生によって生地が著しく劣化してしまうことがある。また、洗浄後に日向に干してしまうと、太陽光の紫外線に長時間に渡って曝されたことによる色褪せや亀裂の発生を招いてしまう性質がある外、折り畳んで収納した場合や、乾燥のために表裏を裏返して長時間そのままにしてしまった場合等には、生地素材の表面に亀裂が入ってしまう等、洗浄後の乾燥や保管には細心の注意を払わなければ、ドライスーツの寿命を大幅に短縮させてしまう虞れがあった。
【０００４】
こうしたドライスーツを長持ちさせるためには、潜水を終えたら直ちに真水や温水シャワーでスーツ全体および後ファスナー部分や給・排気バルブの可動部分等を入念に洗浄して附着した塩分や砂を洗い流し、その後に風通しの良い日陰で表面と内側面とを確りと乾燥させ、保管の際にはブーツが接地するようにハンガーに吊すのが一般的な手入れ、および保管法となっている。
【０００５】
しかしながら、従前までの一般的なハンガーを長時間に渡って使用するとドライスーツの両肩口付近に荷重が集中してしまい、変形や耐久性の低下を招いてしまうという欠点があり、このような弊害を解消するには、細いハンガーにタオルを巻き付けて太くしたり、ウェットスーツやドライスーツ専用の幅広いハンガーを利用することによって防止できる外、特開２０００−２１０１８８号公報に開示されたエアーボディーハンガーを使用して人体形状の袋に空気を注入してウェットスーツの立体形状を維持可能とすることによって解決することも可能であるが、こうした幅広型のハンガー等は、吊したドライスーツの特に首部分を閉鎖してしまい、スーツ内部の通気性を阻害してドライスーツ内側の乾燥には不向きであるという欠点があった。
【０００６】
また、ハンガーに吊されたドライスーツは、前身頃と後身頃とが密着してしまうことによってもスーツ内部の通気性が悪化してしまうこととなるため、この現象に対処するものとして実用新案登録第３０８２９３３号公報に開示されたウェット・ドライスーツ速乾ハンガーが既に開発されており、ハンガー下方に略水平状に吊下されたリング部が、スーツの前身頃と後身頃とを離反させて良好な通気性を確保できるものとなっている。
【０００７】
さらに、一般衣類用のハンガーとして衣類の乾燥を促進するものが種々開発されており、特開平１１−３３２９２号公報の衣類乾燥用ハンガーや、実開平５−９４８９号公報の衣類乾燥用ハンガー、ならびに実用新案登録第３０６３０３１号公報の洗濯済衣料の乾燥用ハンガー等をそのままか、あるいは必要箇所にドライスーツ等用の改良を施すことによって比較的良好な乾燥、および保管が可能になるということが考えられる。
【０００８】
以上のように既に開発済みのドライスーツ等用のハンガーや、一般衣類用のものをドライスーツ等用に改良したハンガー等を用いることにより、吊り下げ状態でのスーツ内外側間の通気性を確保し、比較的軽微な乾燥および保管に適するハンガーとすることも考えられるが、こうしたハンガーによっただけでは、例えば表面だけでなく裏面にまで水に浸して洗浄してしまった後のドライスーツ等については、どうしても速やかに乾燥させることはできなかった。
【０００９】
この発明は、表裏面まで洗浄したドライスーツが、長時間に渡ってスーツ内部の水滴をタオルで拭き取ったり、ドライスーツの姿勢を変更、調節しながらブーツ奥までの通気を十分に確保する等して乾燥させる必要があり、完全に乾燥させるまでに多大な時間と労力とを費やさざるを得なかったという事情に疑問を抱き、それらの不都合に対処してドライスーツを迅速且つ確実に乾燥させることができるハンガーを実現できないものかとの判断から、逸速くその開発、研究に着手し、長期に渡る試行錯誤と幾多の試作、実験とを繰り返してきた結果、今回、遂に新規な構造のドライスーツ等用ハンガー、およびそれを利用した新規なドライスーツ等の吊り下げ、乾燥方法を実現化することに成功したものであり、以下では、図面に示すこの発明を代表する実施例と共に、その構成を詳述することとする。
【００１０】
【発明の構成】
図面に示すこの発明を代表する実施例からも明確に理解されるように、この発明のドライスーツ等用ハンガーは、基本的に次のような構成から成り立っている。
即ち、左右両側を所定角度で上下何れか同一方向に傾斜、延伸させ、略ドライスーツ左右両肩の稜線に模した形状としてなる肩吊り杆を設け、その中央に吊下げ用フックを組み合せてハンガー本体を形成する一方、該ハンガー本体肩吊り杆の左右両側には、夫々ドライスーツの片一方の足首辺りを着脱自在に吊下、保持可能とするよう、前後何れか一方側、または前後双方に向けて屈曲させた抱持枠部を突出、形成してなるものとした構成を要旨とするドライスーツ等用ハンガーである。
【００１１】
この基本的な構成からなるドライスーツ等用ハンガーを、より具体的な構成のものとして示すと、左右両側を所定角度で上下何れか同一方向に傾斜、延伸させ、略ドライスーツ左右両肩の稜線に模した形状としてなる肩吊り杆を設け、その中央に吊下げ用フックを組み合せてハンガー本体を形成する一方、該ハンガー本体肩吊り杆の左右両側には、夫々ドライスーツの片一方の足首辺りを着脱自在に吊下、保持可能とするよう、前後何れか一方側、または前後双方に向けて屈曲させた抱持枠部を突出、形成すると共に、各抱持枠部の適所にドライスーツの片一方の足首辺りを横断状に通過可能とする開口部を形成してなる構成としたドライスーツ等用ハンガーということができる。
【００１２】
さらに具体的には、左右両側を所定角度で上下何れか同一方向に傾斜、延伸させ、略ドライスーツ左右両肩の稜線に模した形状としてなる肩吊り杆を設け、その中央に上下反転姿勢の夫々に吊り下げ可能な上下一対の吊下げ用フックを組み合せてハンガー本体を形成する一方、該ハンガー本体肩吊り杆の左右両側には、夫々ドライスーツの片一方の足首辺りを着脱自在に吊下、保持可能とするよう、前後何れか一方側、または前後双方に向けて屈曲させた抱持枠部を突出、形成すると共に、各抱持枠部の適所にドライスーツの片一方の足首辺りを横断状に通過可能とする開口部を形成してなるドライスーツ等用ハンガーである。
【００１３】
そして、この発明のドライスーツ等用ハンガーを、最も望ましい構成のものとして示すと、左右両側を所定角度で上下何れか同一方向に傾斜、延伸させ、略ドライスーツ左右両肩の稜線に模した形状としてなる肩吊り杆を設け、その中央に上下反転姿勢の夫々に吊り下げ可能な上下一対の吊下げ用フックを組み合せてハンガー本体を形成する一方、該ハンガー本体肩吊り杆の左右両側には、夫々ドライスーツの片一方の足首辺りを着脱自在に吊下、保持可能とするよう、前後双方に向けて屈曲させた抱持枠部を突出、形成すると共に、各抱持枠部の適所にドライスーツの片一方の足首辺りを横断状に通過可能とする開口部を形成してなるようにした構成のドライスーツ等用ハンガーとなる。
【００１４】
肩吊り杆は、ドライスーツ等特殊なスーツの重量を広い範囲で分散状に保持して両肩が形崩れしないよう吊り下げ可能とし、さらに、ドライスーツ等の左右足首付近を夫々掛着可能とし、ドライスーツ等を逆さ吊り状に吊り下げて附着した水滴を速やかに流下させ、乾燥を促進可能とする機能を果たすものであり、ドライスーツ等の重量に耐える十分な強度を有し、左右両側を所定角度で上下何れか同一方向に傾斜、延伸させ、略ドライスーツ左右両肩の稜線に模した形状とし、適所に抱持枠部を形成するか、一体的に装着したものとしなければならず、ＰＰ樹脂やＡＢＳ樹脂、ポリカーボネート樹脂等の合成樹脂、あるいはステンレス、アルミニウム、チタン等の各種金属のように耐食性に秀れた素材を単独でか適宜組み合わせて選択するか、もしくは木材や鋼管、鋼棒のような比較的破損や腐触に弱い素材に耐食性を高める塗膜層や樹脂製、鍍金等の強化、耐食用の被膜層を形成したものとするのが好ましい。
【００１５】
抱持枠部は、肩吊り杆に吊り下げられたドライスーツ等の特殊なスーツの左右両肩付近の前後身頃を、前後に離反させるように保持してドライスーツ等の形崩れを防止すると共に、ドライスーツ内空気の上下方向への移動を可能とし、さらに、上半身を下、下半身を上としたドライスーツ等の片一方の足首付近を保持可能であり、ドライスーツ等を逆さ吊り状に掛着、保持可能とする機能を果たすものであり、ドライスーツ等の重量に十分に耐える強度を有し、肩吊り杆と同様に左右両側を所定角度で上下何れか同一方向に傾斜、延伸させ、前後何れか一方側、または前後双方に向けて突出するよう屈曲させた上、略ドライスーツ左右両肩の稜線形状に模した配置、形状としたものとしなければならない。
【００１６】
そして、適所にドライスーツの片一方の足首辺りを横断状に通過可能とする開口部を形成したものとするのが望ましく、肩吊り杆の適所に一体に形成したもの、または肩吊り杆とは別体に形成され、脱着または折畳みできるものとすることが可能である外、肩吊り杆自体が抱持枠部を形成するものとすることも可能であり、肩吊り杆の前後何れか一方の左右両側となる合計二箇所、あるいは前後双方の左右両側夫々の合計四箇所に設けたものとするのが望ましく、その素材には肩吊り杆と同様にＰＰ樹脂やＡＢＳ樹脂、ポリカーボネート樹脂等の合成樹脂、ステンレス、アルミニウム、チタン等の各種金属、あるいは、木材や鋼管、鋼棒のような素材に耐食用の被膜層を形成したもの等を単独か適宜組み合わせたものを選択、採用することができる。
【００１７】
開口部は、ドライスーツの片一方の足首付近を横断状に通過させることを可能とし、しかも一旦通過させて抱持枠部に掛着状とした足首付近を不用意に通過、脱落させないように保持、可能とする機能を果たすものであり、ドライスーツの片一方の足首付近を弾性的に圧縮、変形させることによって通過可能な程度の形状および寸法に設定し、本来の形状に復帰したドライスーツの片一方の足首付近を保持できるよう形成したものとするのが望ましいが、開閉構造を設けてドライスーツの片一方の足首付近を通過させる際には、該開閉構造を開放させ、同開閉構造を閉鎖することによってドライスーツの片一方の足首付近を脱落させないよう保持できるものとすることも可能である。
【００１８】
吊下げ用フックは、ドライスーツを吊り下げたハンガー本体を適所に吊り下げ保持可能とする機能を果たし、ハンガー本体とこれに装着したドライスーツを吊り下げるに十分な強度を有するものとしなければならず、鋼棒、ステンレス棒等の強度に秀れた金属製とするのが望ましく、肩吊り杆を通常の撫で肩状の姿勢に吊り下げることができる上、上下反転させて怒り肩状の姿勢とするよう吊り下げることを可能とするよう上下一対のフックを設けたものとすることがでる。
【００１９】
上下一対の吊下げ用フックは、ハンガー本体中央に鉛直状に穿孔された連結孔に回転自在に貫通するよう装着されると共に、同上下の吊下げ用フック同士が、ハンガー本体中央の装着部分付近で上下に分離可能なボルト・ナット部を形成してなるものとすることが可能であり、また、上下一対の吊下げ用フックは、左右肩吊り杆を撫で肩状姿勢としたときに上側に位置する方の吊下げ用フックが、ドライスーツの首回りシールの高さ寸法に対応可能となるよう、長尺状に寸法設定されたものとすることも可能である。
【００２０】
【関連する発明】
上記したドライスーツ等用ハンガーに関連して、この発明には当該ドライスーツ等用ハンガーを使用したドライスーツ等の吊り下げ、乾燥方法を含み、その構成は、基本的に次のとおりのものである。
即ち、吊り下げ保管または軽微な乾燥の際には、左右両側を所定角度で上下何れか同一方向に傾斜、延伸させ、略ドライスーツ左右両肩の稜線に模した形状としてなる肩吊り杆を設け、その中央に吊下げ用フックを組み合せてハンガー本体を形成する一方、該ハンガー本体肩吊り杆の左右両側には、夫々ドライスーツの片一方の足首辺りを着脱自在に吊下、保持可能とするよう、前後何れか一方側、または前後双方に向けて屈曲させた抱持枠部を突出、形成してなるドライスーツ等用ハンガーに対し、ドライスーツを着用させるように上半身を上、下半身を下として前後身頃間に左右肩吊り杆の抱持枠部を通じて上下に通気可能な空間部を形成するよう吊り下げ、洗浄によって濡れたドライスーツの場合には、ドライスーツ足首付近の片一方を適宜選択した一個の抱持枠部に掛着し、同他方の足首付近を外の適宜選択した一個の保持枠部に掛着してドライスーツ内外側の水滴を流下させ、乾燥を促進可能とするよう上半身側が下、下半身側が上となるように吊り下げ可能にした構成からなる、この発明のドライスーツ等用ハンガーを利用したドライスーツ等の吊り下げ、乾燥方法である。
【００２１】
そして、さらに具体的には、吊り下げ保管または軽微な乾燥の際には、左右両側を所定角度で上下何れか同一方向に傾斜、延伸させ、略ドライスーツ左右両肩の稜線に模した形状としてなる肩吊り杆を設け、その中央に上下反転姿勢の夫々に吊り下げ可能な上下一対の吊下げ用フックを組み合せてハンガー本体を形成する一方、該ハンガー本体肩吊り杆の左右両側には、夫々ドライスーツの片一方の足首辺りを着脱自在に吊下、保持可能とするよう、前後双方に向けて屈曲させた抱持枠部を突出、形成すると共に、各抱持枠部の適所にドライスーツの片一方の足首辺りを横断状に通過可能とする開口部を形成してなるドライスーツ等用ハンガーを、撫で肩状姿勢としてドライスーツの上半身が上、下半身が下となるよう着用状に装着し、各抱持枠部が、前後身頃間に上下に通気可能な空間部を形成するように吊り下げ、洗浄によって濡れたドライスーツを乾燥する場合には、左右肩吊り杆を怒り肩状姿勢とするよう上下反転させ、ブーツのソールを上方に向けたドライスーツ足首付近の片一方を適宜選択した一個の抱持枠部に開口部を通じて横断状に通過させ、同他方の足首付近を外の適宜選択した一個の保持枠部に開口部を通じて横断状に通過させて各爪先を斜め上方に向けた状態に夫々掛着し、ドライスーツ内外側の水滴を流下させ、乾燥を促進可能とするよう上半身側が下、下半身側が上となるように吊り下げ可能とした、ドライスーツ等の吊り下げ、乾燥方法であるということができる。
【００２２】
この発明のドライスーツ等用ハンガーは、ドライスーツの吊り下げ保管や乾燥に用いるのに好適であるが、ウエットスーツや業務用の潜水服、あるいは皮革製や布製のレーシングスーツ等といった類いのスーツの吊り下げ保管や、吊り下げ、乾燥にも都合よく利用することが可能であり、しかもＢＵＯＹＡＮＣＹ  ＣＯＭＰＥＮＳＡＴＯＲ（以下ＢＣという）やフィン、マスク、スノーケル等のダイビング器材を同時に吊り下げて乾燥、保管するような利用も可能である。    以下では、図面に示すこの発明を代表する実施例と共に、その構造について詳述することとする。
【００２３】
【実施例１】
図１のドライスーツ等用ハンガーの斜視図、図２の分解状態にあるドライスーツ等用ハンガーの斜視図、図３のドライスーツ等用ハンガーの平面図、および図４のドライスーツ等用ハンガーの正面図に示される事例は、ドライスーツ左右両肩の稜線に模した形状としてなるよう、左右両側を所定角度で上下何れか同一方向に傾斜、延伸させた肩吊り杆を設け、その中央に上下一対の吊下げ用フックを組み合せ、上下反転姿勢の夫々に吊り下げ可能なハンガー本体を形成する一方、該ハンガー本体肩吊り杆の左右両側には、夫々ドライスーツの片一方の足首辺りを着脱自在に吊下、保持可能とするよう、前後双方に向けて屈曲させた抱持枠部を突出、形成すると共に、各抱持枠部の適所にドライスーツの片一方の足首辺りを横断状に通過可能とする開口部を形成した、この発明のドライスーツ等用ハンガーにおける代表的な一実施例を示すものである。
【００２４】
当該ドライスーツ等用ハンガー１は、吊り下げの対象となるドライスーツ内側の肩幅寸法と略同じ長さ（利用者自身の肩幅寸法と略同じ長さ）に設定されたステンレス鋼棒製であり、その中央を境とした左右両側の夫々が下方に向けて所定角度傾斜するよう折曲され、ドライスーツ左右両肩の稜線に模した形状に延伸してなる肩吊り杆３を設け、該肩吊り杆３の中央には鉛直方向に貫通する連結孔３１を穿孔し、該連結孔３１に上方からドライスーツの首回りシールの高さ寸法に対応可能とするよう、長尺状の所定寸法に設定した上側フック５１の下端に形成されたボルト部５２を挿し込み、連結孔３１下方に露出状となった同ボルト部５２に対して下向き鈎状に形成された下側フック５４の基部に形成されたナット部５５を螺合してあって、上下一対の吊下げ用フック５１，５４が、連結孔３１に対して鉛直軸心回りに回転自在となるよう組み合わされたものとなり、しかも上下一対の吊下げ用フック５１，５４の適所に、連結孔３１よりも大きな直径となるフランジ状を形成するよう固着された上下側係合部５３，５６が、上下一対の吊下げ用フック５１，５４が上下に大きくズレ動くことがないよう規制するものとなっており、前記肩吊り杆３および上下一対の吊り下げフック５１，５４を組み合わせてハンガー本体２が形成されている。
【００２５】
肩吊り杆３の左右前後側の夫々には、肩吊り杆３よりも僅かに細いステンレス鋼棒製であって前後方向に向けて突出状に屈曲されることにより、夫々がドライスーツ肩付近内側の前後幅（略利用者自身の肩付近の前後幅）寸法の凡そ１／２程度の突出寸法とすると共に、ドライスーツの片一方の足首辺りを着脱自在に吊下、保持可能とする内側径寸法および内側形状となるよう湾曲状に屈曲された抱持枠部４，４，……を一体に設けた上、各抱持枠部４，４，……の左右外側端と肩吊り杆３の対応する左右外側端との間には、ドライスーツの片一方の足首辺りを横断状に通過可能とする開口部４１，４１，……を夫々開口したものとなっている。
【００２６】
【実施例２】
図５の片側だけに抱持枠部を設けたドライスーツ等用ハンガーの斜視図、図６の開口部の形成位置を変更したドライスーツ等用ハンガーの斜視図、図７の開口部をさらに異なる位置に形成したドライスーツ等用ハンガーの斜視図、および図８の肩吊り杆自体が抱持枠部を形成するドライスーツ等用ハンガーの斜視図に示される事例は、この発明のドライスーツ等用ハンガーに包含される他の幾つかの実施例を夫々示すものである。
【００２７】
図５のドライスーツ等用ハンガー１は、比較的一般的な長さの吊下げ用フック５を単独で設けた上、肩吊り杆３の前後一方側にのみ図１と同様の左右抱持枠部４，４を形成したものであり、また、図６のドライスーツ等用ハンガー１は、ドライスーツの首回りシールの高さ寸法に対応可能とするよう、長尺状に形成した吊下げ用フック５を単独で設け、肩吊り杆３の前後一方側にのみ抱持枠部４，４を形成した上、各抱持枠部４，４の内側端側となるハンガー本体２中央付近に各開口部４１，４１を開口したものである。
【００２８】
さらに、図７のドライスーツ等用ハンガー１は、図６に示したドライスーツ等用ハンガー１の各抱持枠部４，４の開口部４１，４１を、夫々の抱持枠部４，４の略中央付近に開口したものとなっている。さらにまた、図８のドライスーツ等用ハンガー１は、肩吊り杆３が合成樹脂成型品か、あるいはダイカスト等の金属鋳造品からなり、肩吊り杆３自体の左右夫々に略楕円形状をなした抱持枠部４，４を形成したものであってドライスーツ足首付近を通過させるための開口部を持たず、各抱持枠部４，４の環形状内に圧縮、変形させたドライスーツの片一方のブーツのソール付近を強制的に挿入、通過させることができる形状および寸法に設定されたものとなっている。
【００２９】
【作  用】
以上のとおりの構成からなるこの発明のドライスーツ等用ハンガーは、以下に示すこの発明に包含されるドライスーツ等の吊り下げ、乾燥方法に好適に用いることができる。
即ち、図１ないし図４中に示したドライスーツ等用ハンガー１は、図９のドライスーツを吊り下げ保管するドライスーツ等用ハンガーの斜視図に示すように、上側の吊下げ用フック５１を所定高さ位置に確りと固定された金具類や水平に設置された竿等に掛着し、撫で肩状の姿勢とするよう吊り下げることによってドライスーツ６の上半身が上、下半身が下となるよう着用状に装着することが可能となり、このように吊り下げられたドライスーツ６は、その左右肩の稜線付近が、肩吊り杆３およびその前後側に夫々突出、形成された各抱持枠部４，４，……により、ドライスーツ６自体の重量を分散するよう幅広く保持する。
【００３０】
また、各抱持枠部４，４，……が、前後身頃間に上下に連通する空間を形成してドライスーツ６の首回り開口６１を通じて通気可能としているので、吊り下げ保管または軽微な乾燥に都合の良いものになると共に、長尺状に寸法設定された上側フック５１が、ドライスーツ６の通常より長い首回りシールの高さ寸法に対応可能となり、ドライスーツ６に不要な変形やストレス、皺等を発生しないようにした吊り下げを可能とする。
【００３１】
ドライスーツ等用ハンガー１を、図１０のドライスーツを吊り下げ、乾燥するドライスーツ等用ハンガーの斜視図に示すように、上下反転させて怒り肩状の姿勢とするよう下側の吊下げ用フック５４を用いて掛着し、ドライスーツ６の上半身側を下、下半身側を上に向け、ブーツのソールを上方に向けた左側の足首付近６２を、肩吊り杆３左前側の抱持枠部４に、爪先を外側に向けるようにして開口部４１を通じて横断状に通過させる一方、右側の足首付近６２を肩吊り杆３右前側の抱持枠部４に、爪先を外側に向けるようにして開口部４１を通じて横断状に通過させ、左右端側が斜め上側に向けて傾斜する肩吊り杆３および抱持枠部４，４，……によって各爪先を斜め上方に向けた状態に掛着し、ドライスーツ６を逆さに吊り下げ、使用することにより、ドライスーツ内側空間を閉鎖することなく通気可能な連通状態に吊すことができ、しかも同スーツ内外側の水滴を滞り無く速やかに流下、排出させて乾燥を促進させることが可能となり、潜水に使用した後の洗浄によって表裏両面が濡れた状態のドライスーツを吊り下げ、乾燥するのに適したものとなる。
【００３２】
図１１のドライスーツとＢＣとを吊り下げ、乾燥するドライスーツ等用ハンガーの平面図に示すように、前後何れか一方側の抱持枠部４，４にドライスーツ６の左右足首付近６２，６２を掛着すると同時に、前後何れか他方側の抱持枠部４，４にダイビング器材であるＢＣ７を吊り下げて乾燥することが可能であり、また図１２のドライスーツとＢＣとを吊り下げ、乾燥するドライスーツ等用ハンガーの正面図に示すように、左右何れか一方側の抱持枠部４，４にドライスーツ６の左右足首付近６２，６２を掛着し、左右何れか他方側の抱持枠部４，４にダイビング器材であるＢＣ７を吊り下げ、乾燥することも勿論可能である。
【００３３】
前記ドライスーツ等用ハンガー１は、図２中に示したように、上下一対の吊下げ用フック５１，５４を、ボルト・ナット構造５２，５５によって肩吊り杆３の中央に回転自在に取り付けられているので、製造の際の組立て作業性が向上し、別部品のナットやボルトと組み合わせることにより、上下何れか選択した一方の吊下げ用フック５１（５４）のみを単独で取り付けることを可能とし、さらに、専用の図示していない自立スタンドを準備して置き、必要に応じて上下吊下げ用フックの何れか一方もしくは双方を取外して肩吊り杆３中央を該自立スタンドに連結するよう組み合わせて使用すること等が可能となる。
【００３４】
図５ないし図７に示したドライスーツ等用ハンガー１は、単独の吊下げ用フック５を有するので、上下反転させた姿勢での使用は不可能であるが、ドライスーツの上半身を上側、下半身を下側に向けた吊り下げ保管や軽微な乾燥に用いることが可能であり、しかも各開口部４１，４１を横断状に通過させることによってドライスーツ足首付近を左右抱持枠部４，４の夫々に掛着させ、ドライスーツを逆さに吊り下げて乾燥を促進させることも可能である。
【００３５】
また、図８のドライスーツ等用ハンガー１は、左右抱持枠部４，４に開口部を形成していないが、ドライスーツ左右のブーツのソール付近を強制的に圧縮、変形させて抱持枠部４，４の夫々に片一方ずつ係合状に装着することにより、図１〜図７の各ドライスーツ等用ハンガー１と略同等に使用することが可能であり、さらに、左右抱持枠部４，４の夫々に図示しない開口部を形成し、各開口部を開閉可能な開閉構造、および閉鎖状態を仮止め可能な仮止め機構等を設けたものとすることにより、ドライスーツ足首付近の装着および取外し作業が容易になる上、ドライスーツ足首付近の左右抱持枠部４，４への装着状態を確りと確保することが可能となる。
【００３６】
【効  果】
以上のとおり、この発明のドライスーツ等用ハンガーによれば、ドライスーツ両肩の稜線に模した形状とした肩吊り杆の左右両側に、前後何れか一方側か、または前後双方に向けて屈曲させた抱持枠部を突出、形成したことによって比較的重量の嵩むドライスーツを、肩吊り杆および抱持枠部の夫々に重量分散するよう吊り下げ保持することが可能となり、一部への荷重の集中を無くしてドライスーツ肩部分の変形を防止することができる上、肩吊り杆と抱持枠部との間に上下に連通する空間を形成して首部分の開口を通じたスーツ内外の通気が可能となり、軽微な乾燥と長期間に渡る吊り下げ、保管とに最適な条件を得ることができるものになると共に、抱持枠部を利用してドライスーツの左右足首付近を片一方の足毎に逆さ吊り状に掛着することが可能となり、左右のブーツ奥まで通気を確保したまま、スーツ内外の水滴を速やかに流下、排水させて迅速に乾燥させることができるという秀れた効果を発揮することができる。
【００３７】
一方、この発明のドライスーツ等用ハンガーを利用したドライスーツ等の吊り下げ、乾燥方法によれば、洗浄等によって内外側が濡れたドライスーツの場合には、上半身側を下、下半身側を上側にしたドライスーツ足首付近の片一方ずつを適宜選択した個別の抱持枠部に夫々掛着し、ドライスーツ内外側の水滴を速やかに流下させ、乾燥を促進することにより、従前までであればドライスーツ内側の水滴は、タオルを使って拭き取ってもブーツの奥まで確りと乾燥させるには多大な手間と時間とを要するものであったが、このような問題を一切解決して迅速且つ容易にスーツの内外面まで乾燥させることができるものとなり、しかもスーツ内側面の水滴が消えた後の軽微な乾燥に際しては、上半身側を上、下半身側を下に向けたドライスーツの左右肩部分を肩吊り杆および抱持枠部に掛着するよう装着することにより、スーツの首および両手首の各開口部分を通じた空気の流通を確保できるので完全な乾燥を可能とし、さらに、スーツ全体の形崩れを防止した状態で長期保管することができるようになることから、洗浄後の乾燥から保管までの作業効率を格段に高めてドライスーツのメンテナンスに要する作業時間を大幅に短縮できるという秀れた特徴が得られるものである。
【００３８】
特に、実施例に説明したドライスーツ等用ハンガー１、およびそれを利用したドライスーツ等の吊り下げ、乾燥方法は、上記した特徴に加え、図１ないし図４に示す上側フック５１および下側フック５４を設けてハンガー本体２の上下を反転、使用できるようにしたので、図９中に示すように、ハンガー本体２を撫で肩状にしてドライスーツ６を吊すことができる外、図１０中に示すように、ハンガー本体２を怒り肩状にしてドライスーツ６を逆さ吊りする際に、ブーツ爪先側を外側上方に傾斜させ、良好な排水性を発揮するものとすることができ、さらに、上側フック５１を長尺状に形成し、図９中に示すドライスーツ６の首回りシールの高さに対応し、防水に重要な首回りシール６１の変形や亀裂の発生等といった劣化を防止できるようになるという利点が得られる。
【００３９】
また、図２中に示すように、上側フック５１と下側フック５４との間にボルト・ナット部５２，５５を設けて分離可能な構造としてあって、図示しない別部品のナットやボルトを組み合わせて上側フック５１あるいは下側フック５４の何れか一方だけを取り付けての使用が可能となる外、肩吊り杆３を専用の自立スタンド等に取り付けて使用することもできるものとなり、それだけ多彩な利用を可能にすると共に、図５ないし図８中に示したドライスーツ等用ハンガー１のように、抱持枠部４，４やそれらの開口部４１，４１の配置や形状等を適宜変更した場合であっても、前述の図１ないし図４中に示したドライスーツ等用ハンガー１と略同等の利用ができるようになるという効果も併せて得られることとなる。
【００４０】
叙述の如く、この発明のドライスーツ等用ハンガー、およびそれを利用したドライスーツ等の吊り下げ、乾燥方法は、その新規な構成によって所期の目的を遍く達成可能とするものであり、しかも構造が簡素な故に製造も容易であって比較的廉価に販売することができるものとなる上、ドライスーツの乾燥および保管に要する作業時間を大幅に短縮し、スーツ内側の水分の拭き取りや通気確保といった手間のかかる作業一切を不要として格段に作業効率を高めることができることから、ドライスーツのメンテナンスに悩むダイバーは勿論のこと、それら商品を取り扱うダイビング業界からも高く評価され、広範に渡って利用、普及していくものになると予想される。
【図面の簡単な説明】
図面は、この発明のドライスーツ等用ハンガー、およびそれを利用したドライスーツ等の吊り下げ、乾燥方法の技術的思想を具現化した代表的な幾つかの実施例を示すものである。
【図１】ドライスーツ等用ハンガーを示す斜視図である。
【図２】分解されたドライスーツ等用ハンガーを示す斜視図である。
【図３】ドライスーツ等用ハンガーを示す平面図である。
【図４】ドライスーツ等用ハンガーを示す正面図である。
【図５】二個の抱持枠部を設けたドライスーツ等用ハンガーを示す斜視図である。
【図６】開口部の位置を変更したドライスーツ等用ハンガーを示す斜視図である。
【図７】開口部の位置を変更したドライスーツ等用ハンガーを示す斜視図である。
【図８】抱持枠部の変形例を示すドライスーツ等用ハンガーの斜視図である。
【図９】使用状態のドライスーツ等用ハンガーを示す斜視図である。
【図１０】乾燥状態のドライスーツ等用ハンガーを示す斜視図である。
【図１１】ＢＣを同時に吊り下げたドライスーツ等用ハンガーを示す平面図である。
【図１２】ＢＣを同時に吊り下げたドライスーツ等用ハンガーを示す正面図である。
【符号の説明】
１      ドライスーツ等用ハンガー
２      ハンガー本体
３      肩吊り杆
３１    同  連結孔
４      抱持枠部
４１    同  開口部
５      吊下げ用フック
５１    同  上側フック
５２    同  ボルト部
５３    同  上側係合部
５４    同  下側フック
５５    同  ナット部
５６    同  下側係合部
６      ドライスーツ
６１    同  首回り開口
６２    同  片一方の足首付近
７      ダイビング器材（ＢＣ）
【図１】
2004187884.tif 000003
【図２】
2004187884.tif 000004
【図３】
2004187884.tif 000005
【図４】
2004187884.tif 000006
【図５】
2004187884.tif 000007
【図６】
2004187884.tif 000008
【図７】
2004187884.tif 000009
【図８】
2004187884.tif 000010
【図９】
2004187884.tif 000011
【図１０】
2004187884.tif 000012
【図１１】
2004187884.tif 000013
【図１２】
2004187884.tif 000014